(57)【特許請求の範囲】
【請求項１】
マニュアルフォーカスが可能で、表示部に所定の倍率で撮影被写体の画像を拡大表示することが可能な電子的撮像装置であって、
撮影画像のうち、所定の一部の領域を画面全体に拡大した第１の画像と、前記撮影画像の全体を画面の一部に縮小した第２の画像とを同一画面上に同時に表示する表示部と、
マニュアルフォーカス時は、前記第１，第２の画像のうち少なくとも前記第１の画像は動画を表示するための制御手段と、
を備えたことを特徴とする電子的撮像装置。
【請求項２】
マニュアルフォーカス時は、前記拡大表示された領域の画像信号に基づいて焦点状態を表示するための焦点状態表示手段を設けたことを特徴とする請求項１に記載の電子的撮像装置。
【発明の詳細な説明】
【０００１】
【発明の属する技術分野】
この発明は、電子的撮像装置のマニュアルフォーカス（パワーフォーカスと呼ばれる電動式のマニュアルフォーカスも含む）に関するものである。
【０００２】
【従来の技術】
従来から、合焦状態検出手段により合焦状態を確認しながら、マニュアルフォーカス（パワーフォーカスも含む）によって素早くかつ確実にピント合わせを行うようにしたカメラ装置が知られている（特開平６−１１３１８４号公報など）
【０００３】
。
【発明が解決しようとする課題】
しかしながら、従来のこのようなカメラ装置において合焦状態を検出する場合、合焦検出範囲は撮影領域の所定位置に固定されていることが多かった。
【０００４】
これに対し、撮影領域の任意の位置で合焦状態を検出するカメラ装置も知られているが、この場合、映像信号を読み出し、該映像信号のコントラスト状態を検出することにより合焦状態を検出する方法では、映像信号の読み出し及び演算に時間がかかり、高速で確実なマニュアルフォーカス制御は困難であった。この問題を解決するために、前記映像信号を利用したコントラスト法による合焦状態検出ではなく、高速処理が可能な位相差検出などによる合焦検出装置を別に設けることも考えられるが、この場合、装置が複雑になりコスト高になる。
【０００５】
一方、マニュアルフォーカス中の被写体の動画を電子式ファインダーなどで確認できれば、上記のような合焦状態検出手段は不要になり装置も簡単になるとともにコストも安くなる。しかしながら、従来のこの方法では合焦状態の確認が難しく確実なマニュアルフォーカス調整を行うのに時間がかかっていた。
【０００６】
上記のように、従来は、マニュアルフォーカス時、素早く確実にフォーカス調整することはできなかった。
【０００７】
本発明は、上記の従来技術の問題点を解決するために、簡単な構成で素早く確実にマニュアルフォーカス制御することが可能な電子的撮像装置を提供することを目的とするものである。
【０００８】
【課題を解決するための手段】
第１の発明による電子的撮像装置は、請求項１に記載したように、マニュアルフォーカスが可能で、撮影画像のうち、所定の一部の領域を画面全体に拡大した第１の画像と、前記撮影画像の全体を画面の一部に縮小した第２の画像とを同一画面上に同時に表示する表示部と、マニュアルフォーカス時は、前記第１，第２の画像のうち少なくとも前記第１の画像は動画を表示するための制御手段と、を備えたものである。
【００１６】
第１の発明においては、マニュアルフォーカス時、拡大する前の画角合わせ用の全体画像を縮小した画像と、その全体画像の一部を画面全体に拡大したピント合わせ用の画像とを合成表示することにより、確実なピント確認を行えるとともに、撮影画像全体の画角合わせをも同時に確認することができる。
【００１７】
第２の発明は、請求項２に記載したように、請求項１の電子的撮像装置において、マニュアルフォーカス時は、前記拡大表示された領域の画像信号に基づいて焦点状態を表示するための焦点状態表示手段を設けたものである。
【００１８】
第２の発明においては、マニュアルフォーカス時、表示部（モニタ）に、ピント合わせ用の拡大画像を表示した際、その拡大表示された領域の画像信号に基づいて焦点状態を表示するようにしたので、ピント合わせをより確実に行うことができる。焦点状態表示手段としては、ズームトラッキングカーブから演算により求まるレンズ位置（距離）を表示したり、或いは評価値（撮像信号から抽出した高域成分の積分値）を表示したりする。
【００１９】
【発明の実施の形態】
発明の実施の形態について図面を参照して説明する。
図１は本発明の一実施の形態の電子的撮像装置を示すブロック図である。なお、本実施の形態は、オートフォーカス（以下ＡＦ）機能を有す一方、電動式のマニュアルフォーカス機能即ちパワーフォーカス（以下ＰＦ）機能を有する電子的撮像装置について説明する。
【００２０】
図１において、電子的撮像装置は、レンズ部１０と、撮像素子であるＣＣＤ２０と、撮像部３０と、記録部４０と、カードアクセス部４１と、メモリカード４２と、再生部５０と、パワーフォーカスとオートフォーカスとの切替用のスイッチ回路６０と、電子ズーム回路６１と、オンスクリーン回路（ＯＳＤ）６２と、表示部である液晶モニタ６３と、レンズ制御部７０と、制御手段であるシステム制御部８０と、各種スイッチ９０と、直流電源100 と、電源回路101 と、電源スイッチ102 と、ストロボ充電／発光制御部110 と、ストロボ発光部111 とで構成されている。
【００２１】
前記レンズ部１０はズームレンズ１１とフォーカスレンズ１２とで構成され、撮像部３０は増幅部（ＡＭＰ）３１とサンプル／ホールド回路（Ｓ／Ｈ）３２とアナログ／ディジタル変換器（Ａ／Ｄ）３３と露出／フォーカス（ＡＥ／ＡＦ）データ作成回路３４と撮像部用タイミングジェネレータ３５とで構成されている。
【００２２】
前記レンズ制御部７０はモータ駆動用パルスジェネレータ７１とズーム用ドライバ７２とズーム用ステップモータ７３とフォーカス用ドライバ７４とフォーカス用ステップモータ７５とで構成されている。
【００２３】
以下に、各部の機構及び回路について説明する。
レンズ部１０を構成するズームレンズ１１は、ズーム機構によりその光軸上に沿って移動可能にされ、またフォーカスレンズ１２は、フォーカス機構によってその光軸上に沿って移動可能にされている。そして、レンズ部１０の光軸上には撮像素子である１チップ構成のＣＣＤ（電荷結合素子）２０が配設され、レンズ部１０で撮影された被写体（図示せず）の撮影像がＣＣＤ２０の撮像面に結像するようになっている。
【００２４】
ＣＣＤ２０は、撮像部用タイミングジェネレータ３５により駆動タイミングがとられ、その撮像動作を制御されるようになっている。
【００２５】
ＣＣＤ２０により撮影され光電変換された画像信号は、増幅部３１で所定レベルにまで増幅され、サンプル／ホールド回路３２でサンプル／ホールドされて１画素ごとの信号値が出力され、次段のＡ／Ｄ変換器３３でアナログ信号からディジタル信号に変換される。ディジタル化された画像信号は記録部４０に供給される一方ＡＥ／ＡＦデータ作成回路３４に供給される。
【００２６】
記録部４０では、前記のディジタル化された画像信号を記録用信号に処理しカードアクセス部４１を通してメモリカード４２に記録する。ＡＦモードで撮影中は、カードアクセス部４１は、システム制御部８０の制御によってメモリカード４２に画像信号を記録すると同時に再生部５０を通し更にスイッチ回路６０の第２入力端ｂ及び電子ズーム回路６１並びにオンスリーン回路６２を通して、液晶モニタ６３に撮影中の画像を表示する。勿論、画像信号をメモリカード４２に一旦記録した後、再生（ＰＬＡＹ）ボタンが押された時は、システム制御部８０の制御によって、カードアクセス部４１はメモリカード４２に記録されている画像信号を読み出して再生部５０で再生処理して、スイッチ回路６０の第２入力端ｂ及び電子ズーム回路６１並びにオンスリーン回路６２を通して、液晶モニタ６３に再生画像を表示することができる。
【００２７】
ＡＥ／ＡＦデータ作成回路３４は、内部に設けられた輝度信号成分の抽出回路によって抽出した輝度信号成分から、ＡＥデータ作成手段によって露出情報であるＡＥデータを得、得られたＡＥデータをシステム制御部８０に供給する一方、前記の抽出した輝度信号成分を、ハイパスフィルタと積分器で構成されるＡＦデータ作成手段に供給し、ハイパスフィルタを用いて高域成分のみを抽出し、さらにその高域成分を積分器を用いて積分して、フォーカス情報であるＡＦデータを得、得られたＡＦデータをシステム制御部８０に供給する。なお、システム制御部８０は、前記のＡＥデータに基づいて絞り制御情報を算出して図示しない絞り機構に供給する。また、システム制御部８０は、ＡＦモードが設定されている時は（このＡＦモードの設定は、各種スイッチ９０のうちのＰＦボタンによってＰＦモードを設定していない初期状態に相当する）、フォーカス機構の動作に伴って得られる前記のＡＦデータに基づいて山登り方式と呼ばれている演算を行いそれに基づいてフォーカス制御情報を生成し、レンズ制御部７０のパルスジェネレータ７１に供給する。これによって、フォーカス用ドライバ７４を通してステップモータ７５を駆動し、フォーカスレンズ１２を自動的に合焦位置に設定することが可能である。
【００２８】
前記の撮像部３０でディジタル化された画像信号は、スイッチ回路６０の第１入力端ａにも供給されている。スイッチ回路６０は、各種スイッチ９０のうちのＰＦボタンを押すたびに、第１入力端ａ又は第２入力端ｂに交互に切り替えられるように制御され、第１入力端ａに切り替えられた時は、前記撮像部３０からのディジタル化された画像信号が、電子ズーム回路６１を通してオンスリーン回路６２に供給されて液晶モニタ６３に表示されるようになっている。また、第２入力端ｂに切り替えられた時は、再生部５０からの再生信号が電子ズーム回路６１を通してオンスリーン回路６２に供給されて液晶モニタ６３に表示されるようになっている。
【００２９】
電子ズーム回路６１は、ＰＦボタンが押されてスイッチ回路６０が第１入力端ａに切り替わると同時にシステム制御部８０からの制御信号によって撮影中の被写体像を所定の位置（例えばフォーカスマーク）を中心に所定の表示倍率で拡大表示するように制御して出力するものである。また、再生（ＰＬＡＹ）ボタンが押されたときは、電子ズーム回路６１は、スイッチ回路６０が第２入力端ｂに切り替わると同時にシステム制御部８０からの制御信号によって再生部５０からの画像をノーマルな（或いは拡大した）大きさで表示するように制御して出力する。
【００３０】
オンスリーン回路６２は、ＣＣＤ２０が例えば４０万〜１３０万画素あるのに対して、液晶モニタ６３が６万〜２０万画素と画素数が少ないので、ＣＣＤ２０によって撮影された画像信号の画素数を間引いて液晶モニタ６３に供給するための回路である。
【００３１】
システム制御部８０に対しては、直流電源100 に基づいて電源回路101 から各回路に適宜の直流電圧が供給できるようになっている。また、各種スイッチ９０のうちのストロボボタンが押された時（つまりストロボモードとされている時）は、ストロボ充電／発光制御部110 に対して充電電流が供給されて主コンデンサＣM に対して充電が行われ、図示しないシャッタレリーズボタンを押すと、システム制御部８０の制御によってストロボ発光部111 が発光して被写体をフラッシュ照明するようになっている。
【００３２】
システム制御部８０は、マイクロコンピュータ（ＣＰＵ，ＲＯＭ，及びＲＡＭ）で構成され、装置各部３４，３５，４１，１０１，１１０及び各種スイッチ９０からの信号を受け入れて各種の演算制御を行うもので、上記装置各部３５，４１，５０，６０，６１，６２，７１，１０２，１１０などに対して制御信号を供給する。また、システム制御部８０は、ＰＦ時は、指示手段（図７の説明参照）により指定された画像の所定位置を中心にして、表示倍率設定手段（図７の説明参照）により設定された表示倍率で被写体の動画を拡大して、表示部である液晶モニタ６３に表示する制御を行う。或いは、システム制御部８０は、表示部である液晶モニタ６３に、撮影画像のうち、所定の一部の領域を画面全体に拡大した第１の画像と、前記撮影画像の全体を画面の一部に縮小した第２の画像とを同一画面上に同時に表示する制御を行い、かつ、ＰＦ時は、前記第１，第２の画像のうち少なくとも前記第１の画像は動画を表示するように制御する。
【００３３】
図２に、図１の電子的撮像装置として使用される電子カメラの外観（背面側）を示す。前述の各種スイッチ９０として、ズームレンズ１１をズーム駆動するためのズームボタン９１，記録画像の再生を行うための再生ボタン９２，各種設定を行うためのメニューボタン９３，ＰＦモードとするためのＰＦボタン９４，撮影を開始するためのシャッタレリーズボタン９５，各種設定時の項目選択及び確定を行うための十字キー９６などが配設されており、また撮影画像の表示や各種設定時のメニュー表示などを行うための液晶モニタ６３や、画角合わせなどを行うための電子式ファインダー300 が配設されている。
【００３４】
次に、本発明の動作を説明する。
撮影を実行する場合には、まず、電子的撮像装置の電源を立ち上げてから、撮影画角の観察のため電子式ファインダー300 内に被写体をとらえる。通常は、電源を立ち上げ後は、ＡＦモードに初期設定されるので、撮影している画像が、記録部４０，カードアクセス部４１，再生部５０，スイッチ回路６０の第２入力端ｂを経て、液晶モニタ６３に表示される。或いは、電源を立ち上げ後、各種スイッチ９０のうちのＰＦボタンを押して、ＰＦ切替動作を行い、ＰＦモードに切り替える。
【００３５】
ここで、ＰＦモードに切り替える場合について説明する。図３及び図５を参照して、ＰＦ切替処理及びＰＦ処理について説明する。前述したように、ＰＦボタンは押すたびにＰＦモードとＡＦモードとが状態反転する。ＰＦ処理に必要なスイッチ配置は、例えば図４に示すようにメニュースイッチ（ＭＥＮＵ）９３の近くに配設した十字キー９６（ライト，レフトの各キーＲ，Ｌ、アップ，ダウンの各キーＵ，Ｄ、およびオーケーキーＯＫからなる）を用いて行う。即ち、ＰＦにおいては、フォーカス駆動手段（７１，７４，７５）にてフォーカスレンズ１２を移動し、該レンズをピントの合った位置で停止する必要があるが、このフォーカスレンズ１２のレンズ位置（至近〜∞）を変えるのに、十字キー９６におけるレフトキー（Ｌ）とライトキー（Ｒ）を用いて行う。
【００３６】
ＰＦ切替処理はＰＦキーが押されたときのみ処理が行われ、図３に示すように、現在、ＰＦモードか否かを判断し（ステップＳ11）、ＰＦモードだったら、ＡＦモードに設定してレンズ部１０を初期設定する（ステップＳ12，Ｓ13）。ステップＳ11で、ＰＦモードでなかったら、ＰＦモードに設定する（ステップＳ14）。
【００３７】
ＰＦモードに入ってからのＰＦ処理は、図５に示すように、まず、ライトキー（Ｒ）がオンか否かを判定し（ステップＳ21）、ライトキー（Ｒ）がオンしていれば、フォーカスレンズのレンズ位置が至近（これは、レンズ部前面から被写体までの撮影可能な最短距離であり、通常モードでは、例えば０．６ｍである）か否かを判定し（ステップＳ22）、すでに至近であれば、レンズ位置を至近に固定して（ステップＳ23）、レンズを停止し（ステップＳ34）、液晶モニタ６３の表示を元の表示（フォーカス用の拡大表示ではない）に戻す（ステップＳ35）。これは、至近位置ではＰＦ（パワーフォーカス）を行っても意味がないからである。ステップＳ22において、レンズ位置が至近でないならば、被写体撮影画像の所定位置（例えばフォーカスマーク）を中心にして、所定の倍率で被写体の動画を液晶モニタ６３に拡大して表示する。
【００３８】
なお、このモニタ拡大表示の倍率は、図３におけるＰＦモード移行前に設定される。即ち、メニューキー（ＭＥＮＵ）を少なくとも一度押すことによって、システム制御部８０の制御によって、液晶モニタ６３がメニュー表示部として動作し、表示画面上に複数の表示倍率（例えば、×１，×２，×４，×８）をメニュー表示させ、該表示倍率のうちから例えば前述の十字キー９６におけるアップキー（Ｕ）又はダウンキー（Ｄ）およびオーケーキー（ＯＫ）の操作によって表示倍率を選択・確定すると、その表示倍率に相当する制御値が電子ズーム回路６１に設定されるようになっている。設定後、ＰＦボタンを押すと、ＰＦモードに移行する（図３で述べた動作）。
【００３９】
ステップＳ24のモニタ拡大表示の後は、レンズを至近方向に駆動し（ステップＳ25）、レンズ位置が至近か否かを判定し（ステップＳ26）、レンズ位置が至近ならば、前述のステップＳ23，Ｓ34，Ｓ35を実行する。ステップＳ26でレンズ位置が至近でないならば、ライトキー（Ｒ）のオンが解除されるまで、即ちライトキー（Ｒ）から指が離されるまで、ステップＳ25，Ｓ26，Ｓ27を繰り返し、例えばフォーカスが最適調整されてライトキー（Ｒ）から指が離されると、ステップＳ34，Ｓ35に移行してフォーカスレンズ１２のレンズ駆動を停止し、モニタ表示を元に戻す。
【００４０】
即ち、ステップＳ27では、ライトキー（Ｒ）がオンか否かを判定し、ライトキー（Ｒ）が押されていなければ、前述のステップＳ34，Ｓ35（レンズ停止及びモニタ表示を元に戻す）を実行する。ライトキー（Ｒ）が押されていれば、ステップＳ25に戻り、レンズを至近方向に駆動する動作を継続する。
【００４１】
ＰＦ処理では、前述のステップＳ21で、ライトキー（Ｒ）がオフならば、ステップＳ31でレフトキー（Ｌ）がオンか否かが判定される。ステップＳ31でレフトキー（Ｌ）がオンならば、先述のステップＳ22〜Ｓ27，Ｓ34，Ｓ35と同様に、フォーカスレンズ１２のレンズ位置が無限遠（∞）か否かを判定した（ステップＳ32）後、Ｓ32〜Ｓ39を実行する。
【００４２】
ステップＳ31で、レフトキー（Ｌ）がオンしていれば、フォーカスレンズ１２のレンズ位置が無限遠か否かを判定し（ステップＳ32）、すでに無限遠であれば、レンズ位置を無限遠に固定して（ステップＳ33）、レンズを停止し（ステップＳ34）、液晶モニタ６３の表示を元の表示（フォーカス用の拡大表示ではない）に戻す（ステップＳ35）。これは、無限遠位置ではＰＦを行っても意味がないからである。ステップＳ32において、フォーカスレンズ１２のレンズ位置が無限遠でないならば、被写体撮影画像の所定位置（例えばフォーカスマーク）を中心にして、所定の倍率で被写体の動画を液晶モニタ６３に拡大して表示する。
【００４３】
ステップＳ36のモニタ拡大表示の後は、レンズを無限遠方向に駆動し（ステップＳ37）、レンズ位置が無限遠か否かを判定し（ステップＳ38）、レンズ位置が無限遠ならば、前述のステップＳ33，Ｓ34，Ｓ35を実行する。ステップＳ38でレンズ位置が無限遠でないならば、レフトキー（Ｌ）のオンが解除されるまで、即ちレフトキー（Ｌ）から指が離されるまで、ステップＳ37，Ｓ38，Ｓ39を繰り返し、例えばフォーカスが最適調整されてレフトキー（Ｌ）から指が離されると、ステップＳ34，Ｓ35に移行してフォーカスレンズ１２のレンズ駆動を停止し、モニタ表示を元に戻す。
【００４４】
以上のように、本実施の形態では、ＰＦボタンの操作に基づき、制御手段としてのシステム制御部８０は、マニュアルフォーカスであるＰＦと、オートフォーカスであるＡＦとを切り替えることが可能であり、ＰＦ時は、表示部である液晶モニタ６３にＡＦ時よりも所定の倍率で拡大された被写体の動画を表示するように制御を行う。
【００４５】
従って、撮影時に、ＰＦボタン操作によってＡＦモードからＰＦモードにフォーカスモードを切り替えると、液晶モニタ６３には、図６(a) に示すように撮影画像が表示された状態から、図６(b) に示すように画像の所定の位置を中心にして所定の表示倍率で拡大された画像が表示される。ユーザーは、図６(b) の拡大表示を見ながら、図４に示した十字キー９６のライトキー（Ｒ）あるいはレフトキー（Ｌ）を操作することによってフォーカスレンズ１２を被写体に対して前後動させてピント合わせを行うことができる。
【００４６】
なお、図６(b) の拡大表示画面には同時に焦点状態表示手段としてのグラフ表示部201 が画面上の水平方向に棒状或いは帯状に作成表示され、該グラフ表示部201 の中にレンズ位置（指標202 ）が示される。これは、システム制御部８０においてズームトラッキングカーブから演算により求まるレンズ位置を表示したものであり、ユーザーはこのレンズ位置の表示を参照しながら焦点状態を判断することができる。例えば、図６(b) に示すように撮影範囲（レンズ前面から）が０．６ｍ（至近）〜∞（無限遠）のカメラであった場合に、拡大表示されている被写体例えば図示「木」までの距離が実際には２０ｍであるのに、グラフ表示部201 における指標（演算によって求めたレンズ位置を示すもの）202 が１ｍであるならばフォーカスレンズ１２の位置がおかしいと判断できるので、十字キー９６のレフトキー（Ｌ）を操作してフォーカスレンズ１２を無限遠（∞）方向に移動して指標202 が２０ｍに対応した位置になるようにフォーカスレンズ調整する。このようにして、十字キー９６のＬ，Ｒキーによるフォーカス調整の際に、拡大された画像表示のピント状態と、グラフ表示部201 にグラフ表示されたレンズ位置とから合焦状態をより正確に判断することができる。つまり、ユーザーは、グラフ表示部に表示されたレンズ位置を参照しながら、拡大表示された画像が最も鮮明になるようにＰＦ調整すればよいことになる。
【００４７】
以上のことに加えてさらに、本実施の形態では、ＰＦ時に液晶モニタ６３に拡大表示する画像の表示倍率を設定するための表示倍率設定手段を設けているとともに、ＰＦ時に液晶モニタ６３に拡大表示する画像の位置を指定するための指示手段を設けている。
【００４８】
メニューキー（ＭＥＮＵ）（図４参照）を少なくとも一度押すことによって、システム制御部８０は、液晶モニタ６３の表示画面上に図７に示すようなメニュー表示を行うことができるようになっている。図７には、複数の表示倍率（例えば、×１，×２，×４，×８）を選択肢（表示倍率設定手段）として表示しているとともに、モニタ表示画面を例えば４分割した場合においてＰＦ時に拡大して表示すべき複数の画像位置（図７では左上，左下，右下，右上，中央の５つの部分）を選択肢（指示手段）として表示している。図７にメニュー表示された複数の表示倍率や画像位置の中から、所望の表示倍率や画像位置を選択し確定するためには、図４に示した十字キー210 を使用する。表示倍率（×４）を選択するためにはレフトキー（Ｌ）を押してカーソルをＰＦ×の列に移動した後、アップキー（Ｕ）又はダウンキー（Ｄ）にてカーソルを上下してカーソルを×４に位置させ、オーケーキー（ＯＫ）で確定させる。また、次に、左下の画像位置を選択するためにはライトキー（Ｒ）を押してカーソルをＰＦ位置の列に移動した後、アップキー（Ｕ）又はダウンキー（Ｄ）にてカーソルを上下してカーソルを上から２つ目に位置させ、オーケーキー（ＯＫ）で確定させる。その後、ＰＦボタンを押せば、液晶モニタ６３の表示画面には、ＰＦモード設定前（ＡＦモード時）の図８(a) の画角合わせの全体画面から、全体画面の左下位置に相当する画像を拡大表示した図８(b) に示すような画面が表示される。図８(b) のＰＦモード時の拡大表示画面でピント合わせを行うには、図５で説明したように、図４に示したライトキー（Ｒ）又はレフトキー（Ｌ）を指で押すことによってフォーカスレンズ１２を至近方向又は無限遠方向に駆動し、ピントの合ったところで、ライトキー（Ｒ）又はレフトキー（Ｌ）から指を離せば良い。その後、シャッタレリーズボタンを押すことによって電子シャッタが作動し、て撮像部３０を通して撮影された画像が記録部４０に出力され、カードアクセス部４１を介してメモリカード４２に記録され、撮影が完了する。また、撮影された画面を確認する場合には、再生ボタン（ＰＬＡＹ）の操作によって、メモリカード４２に記録された画像信号をカードアクセス部４１を介して再生部５０に読み出し、このとき第２入力端ｂに切り替えられたスイッチ回路６０を経て液晶モニタ６３へ画像出力する。
【００４９】
なお、図８(b) には、拡大された動画像の表示のほかに、ＡＥ／ＡＦデータ作成回路３４からのＡＦデータにより山登り演算（画像信号の高域成分の積分）して得られるコントラスト値が評価値として指標211 にてグラフ表示部210 に表示されている。グラフ表示部210 はその指標210 によって焦点状態を表示する焦点状態表示手段を構成している。該グラフ表示部210 は垂直方向に棒状又は帯状に表示されピント状態に応じて指標211 が上下動する。指標211 が上方位置に移動し再び下方位置に移動するその境界（最大値）が合焦状態（ピントが合っている状態）に対応した評価値である。ＡＦ評価値については、図１０で述べる。
【００５０】
このようにして、ＰＦモード時に表示部としての液晶モニタ６３に映し出されている画像のフォーカスすべき位置および表示倍率は、前もってメニューボタン（ＭＥＮＵ）を押すことによって液晶モニタ６３を設定用画面にして設定され、その後、ＰＦボタン９４を押すことによってＰＦモードとするとともに画像の所定の位置を所定の表示倍率で拡大して液晶モニタ６３上に動画表示し、十字キー９６のライト，レフトキーを用いて拡大表示されている画像のピント合わせを行い、シャッタレリーズボタン９５の操作によって被写体画像をメモリカード４２に記録することができる。
【００５１】
ところで、図６(b) 及び図８(b) では、ＰＦモード時、撮影画像のうちのフォーカス調整するエリアを拡大して表示するものであったので、ＰＦボタンの操作によってＰＦモードとした後は液晶モニタ６３には拡大されたピント合わせ用の画像のみが表示され、撮影しようとしている全体画像が表示されなかった。
【００５２】
そこで、図９の実施の形態では、図９(a) のＰＦモード前の状態から、ＰＦボタン９４の操作によってＰＦモードとした時に、システム制御部８０は、図９(b) に示すように液晶モニタ６３にピント合わせ用の拡大表示を画面全体に表示するとともに、この拡大表示画面に対して、画角合わせ用の撮影画像全体を縮小して子画面として合成して表示するように、再生部５０及びスイッチ回路６０を制御する。
【００５３】
つまり、ＰＦモード時、撮影画像は撮像部３０からスイッチ回路６０の第１入力端ａを通り電子ズーム回路６１に供給され、システム制御部８０の制御により電子ズーム回路６１で所定の位置の画像部分が所定表示倍率で拡大して読み出され液晶モニタ６３に供給されるとともに、撮影しようとしている画像全体が撮像部３０，記録部４０，及びカードアクセス部４１を通して再生部５０に供給され、システム制御部８０の制御により，再生部５０内のバッファメモリから水平，垂直の各方向に縮小して読み出され、その縮小画像がシステム制御部８０の制御により合成期間（子画面期間）のみスイッチ回路６０の第２入力端ｂを通して出力されて、液晶モニタ６３の画面上に前記ピント合わせ用の拡大映像に重畳する形で合成表示される。
【００５４】
したがって、図９の実施の形態では、図７に示したメニュー表示によるＰＦ表示倍率及びＰＦ画像位置の設定を行った後、ＰＦボタン９４を押すことによって図９(a) の表示状態が図９(b) の２画面表示状態に移行する。なお、図９(b) の場合も、図８(b) の場合と同様に、コントラスト値を評価値として指標211 にてグラフ表示部210 に表示して、合焦状態を判断する参考としている。グラフ表示部210 はその指標211 によって焦点状態の良否を表示する焦点状態表示手段を構成している。
【００５５】
なお、マニュアルフォーカス時に、第１の画像であるピント合わせ用拡大画像と、第２の画像である画角合わせ用小画像とを、表示部である液晶モニタ６３の画面上に同時に表示する場合に、システム制御部８０は、前記第１，第２の画像のうち少なくとも第１の画像については動画を表示するように制御し、第２の画像については動画を表示するように再生部５０を制御してもよいし静止画を表示するように再生部５０を制御してもよい。
【００５６】
図１０は、山登り方式によるＡＦ評価値について説明する図である。図１０(a) は、画像信号から抽出した輝度信号成分の強度（レベル）を縦軸とり、横軸に周波数（ｆ）とり、フォーカスレンズ１２を移動してフォーカス調整を行った場合における輝度信号成分の周波数分布を示したものである。周波数分布線Ａ，Ｂ，Ｃ，Ｄは、Ａがピントがよく合った時の周波数分布であり、より高い周波数成分が出力された状態を示している。Ｄはピンぼけの時の周波数分布であり、この場合は高い周波数成分の出力が殆どない状態となっている。ＢとＣはＡとＤの中間の周波数分布を示している。従って、画像信号から抽出した輝度信号成分を、ハイパスフィルタと積分器で構成されるＡＦデータ作成手段に供給し、ハイパスフィルタを用いて高域成分のみを抽出し、さらにその高域成分を積分器を用いて積分して、ＡＦ評価値としてのＡＦデータを得ると、フォーカスレンズ１２のレンズ位置の移動に応じて、ＡＦ評価値は図１０(b) に示すようにジャストピント位置を中心（最大値）として山を登り或いは山を下るように変化する。従って、フォーカス調整時に、図８(b) や図９(b) のようにグラフ表示部210 にＡＦ評価値としての指標211 を上下動するように表示すれば、焦点状態を表示してピントの良否を確認することができる。
【００５７】
尚、以上述べた実施の形態では、電動式のマニュアルフォーカス機能であるパワーフォーカス機能を持った電子カメラについて説明したが、本発明は、ステップモータ等の電動機構を用いない手動式のマニュアルフォーカス機構の場合にも適用できることは勿論である。また、以上述べた実施の形態では、電子式ファインダーを持った電子カメラについて説明したが、本発明は、光学式ファインダーを持った電子カメラに対しても適用することができる。
【００５８】
【発明の効果】
以上述べたように第１の発明によれば、マニュアルフォーカス時、拡大する前の画角合わせ用の全体画像を縮小した画像と、その全体画像の一部を画面全体に拡大したピント合わせ用の画像とを合成表示することにより、確実なピント確認を行えるとともに、撮影画像全体の画角合わせをも同時に確認することができる。
【００６３】
第２の発明によれば、マニュアルフォーカス時、表示部（モニタ）に、ピント合わせ用の拡大画像を表示した際、その拡大表示された領域の画像信号に基づいて焦点状態を表示するようにしたので、ピント合わせをより確実に行うことができる。
【図面の簡単な説明】
【図１】本発明の一実施の形態の電子的撮像装置を示すブロック図。
【図２】図１の電子的撮像装置として使用される電子カメラの外観（背面側）を示す斜視図。
【図３】図１におけるＰＦ切替処理を説明するフローチャート。
【図４】図１におけるスイッチ配置の一例を示す図。
【図５】図１におけるＰＦ処理を説明するフローチャート。
【図６】ＰＦモードにおける拡大表示の第１の実施の形態を説明する図。
【図７】ＰＦモード時の拡大表示を行うための表示倍率及び画像位置の設定用メニュー画面を示す図。
【図８】ＰＦモードにおける拡大表示の第２の実施の形態を説明する図。
【図９】ＰＦモードにおける拡大表示の第３の実施の形態を説明する図。
【図１０】ＡＦ評価値を説明する図。
【符号の説明】
６３…液晶モニタ（表示部）
８０…システム制御部（制御手段）
201 ，210 …グラフ表示部（焦点状態表示手段）
202 ，211 …指標
【図１】
0004050385.tif 000002
【図２】
0004050385.tif 000003
【図３】
0004050385.tif 000004
【図４】
0004050385.tif 000005
【図５】
0004050385.tif 000006
【図６】
0004050385.tif 000007
【図７】
0004050385.tif 000008
【図８】
0004050385.tif 000009
【図９】
0004050385.tif 000010
【図１０】
0004050385.tif 000011